(57)【特許請求の範囲】
【請求項１】
無線信号を処理する無線回路とデジタル信号を処理するデータ処理回路とが搭載され、かつ前記無線回路のグランドと前記データ処理回路のグランドとが分離されているプリント基板を有してなる電子機器において、
前記データ処理回路のグランドの周りを周回するように前記無線回路のグランドを設置して、前記無線回路のグランドと前記データ処理回路のグランドとを分離した場合、前記無線回路のグランドと前記データ処理回路のグランドとを接続し、前記無線回路のグランドに流れる電流と同方向の電流を、前記無線回路のグランドから前記データ処理回路のグランドに注入するための電流注入回路をさらに有する電子機器。
【請求項２】
前記電流注入回路は、前記無線回路のグランドと前記データ処理回路のグランドとを接続する前記プリント基板のパターンである、請求項１に記載の電子機器。
【請求項３】
前記プリント基板は２枚設けられており、当該２枚のプリント基板がケーブルで接続されており、
前記電流注入回路は、前記無線回路のグランドと前記データ処理回路のグランドとを接続する前記プリント基板のパターンであり、かつ前記２枚のプリント基板の各々の１箇所ずつに設けられている、請求項１に記載の電子機器。
【請求項４】
前記電流注入回路は、各々が前記無線回路のグランドと前記データ処理回路のグランドとを接続する２つ以上のキャパシタである、請求項１に記載の電子機器。
【請求項５】
前記データ処理回路のグランド上に設けられ、前記データ処理回路のグランドに流れる電流をモニタするための電流モニタ回路をさらに有し、
前記電流注入回路は、前記電流モニタ回路にてモニタされた電流の電流値に基づいて前記無線回路のグランドから前記データ処理回路のグランドに注入する電流注入量を制御する、請求項１に記載の電子機器。
【請求項６】
前記電流注入回路は、
前記無線回路のグランドと前記データ処理回路のグランドとを接続する可変抵抗器と、
前記電流モニタ回路にてモニタされた電流の電流値が最小値となるように前記電流注入量を決定し、決定された電流注入量となるように前記可変抵抗器の抵抗値を制御する制御回路とを有する、請求項５に記載の電子機器。
【発明の詳細な説明】
【技術分野】
【０００１】
本発明は、電子機器において、無線回路を流れる高周波電流がデータ処理回路上の集積回路と干渉することを防ぐ技術に関する。
【背景技術】
【０００２】
携帯電話等の電子機器では、ＬＳＩ（Large Scale Integration）などの集積回路を搭載したプリント基板がアンテナ近傍に配置されている場合、このプリント基板にも強い高周波電流が流れ、電磁結合が発生することがあった。このような電磁結合を抑制する電子機器は、例えば、特許文献１に開示されている。
【０００３】
図１５を参照すると、特許文献１に開示された電子機器は、プリント基板６０上に、基地局との間で無線信号を送受信するアンテナ部７０、アンテナ部７０で送受信される無線信号を処理する無線回路７１、各種のデジタル信号を処理するＬＳＩなどの集積回路を搭載するデータ処理回路７２、および、アンテナ部７０へ信号を供給するとともにアンテナ部７０からの信号を各回路へ供給する給電部７３が設けられている。プリント基板６０は、第１層６１に信号層、第２層６２にグランド層８３、第３層６３に電源層、第４層６４に信号層が形成された多層基板となっている。第３層６３と第４層６４の一部が回路パターン７４となっている。プリント基板６０上には、さらに、無線回路７１とデータ処理回路７２とを分離するために電流制御機構部８０が設けられている。電流制御機構部８０は、上下層に金属面８１，８２が配置されている。また、電流制御機構部８０は、金属面８１，８２の端部から制御対象の電流の１／４波長（＝Ｌｒ，Ｌｄ）だけ離れた中央付近の位置に、ビアホール８４の列が直線状に形成されている。
【０００４】
すなわち、特許文献１に開示された電子機器は、金属面８１，８２の端部から１／４波長だけ離れた位置において入力インピーダンスが高くなり、無線回路７１からデータ処理回路７２へ電流が流れにくくなることを利用して、電磁結合を抑制している。
【０００５】
しかしながら、特許文献１に開示された電子機器は、電流制御機構部８０を１／４波長の領域にわたって設ける必要があり、大きな占有面積を必要としていた。
【０００６】
その一方で、電子機器では、静電気対策などで、静電気が印加されるフレームグランドとＬＳＩなどのリターンに用いられる内部のシグナルグランドとを分離し、これら２つのグランドの間を１つのフェライトビーズで接続することが一般に行われている（例えば、特許文献２参照）。このフェライトビーズは、高周波において電子機器の内部のインピーダンスをできるだけ大きくすることにより、静電気放電時に発生する高周波成分がシグナルグランドに混入するのを抑制する目的で挿入されている。
【特許文献１】特開２００２−３１４４９１号公報
【特許文献２】特開２０００−２６９６１３号公報
【発明の開示】
【発明が解決しようとする課題】
【０００７】
電子機器は、上述のシグナルグランドとフレームグランドとを分離する技術を応用して、無線回路のグランドとデータ処理回路のグランドとを分離する構成とすることが可能である。仮に、２つのグランドが充分に離れていれば、無線回路のグランドに流れる高周波電流がデータ処理回路のＬＳＩに与える影響を充分に抑えることができる。
【０００８】
しかしながら、小型の電子機器の場合は、図１６に示すように、無線回路のグランド１とデータ処理回路のグランド２とを充分に離すことができない場合が多い。そのため、無線回路のグランド１を流れる高周波電流が、近傍のデータ処理回路のグランド２に電磁結合して、高周波に敏感なＬＳＩ３などの集積回路を誤動作させることがあった。
【０００９】
そこで、本発明の目的は、データ処理回路のグランドが無線回路のグランドの近傍に配置された場合でも、データ処理回路のグランド上の集積回路の搭載位置にて高周波電流を充分に抑制することができる電子機器を提供することにある。
【課題を解決するための手段】
【００１０】
上記目的を達成するために本発明は、
無線信号を処理する無線回路とデジタル信号を処理するデータ処理回路とが搭載され、かつ前記無線回路のグランドと前記データ処理回路のグランドとが分離されているプリント基板を有してなる電子機器において、
前記無線回路のグランドと前記データ処理回路のグランドとを接続し、前記無線回路のグランドに流れる電流と同方向の電流を、前記無線回路のグランドから前記データ処理回路のグランドに注入するための電流注入回路をさらに有することを特徴とする。
【００１１】
この構成によれば、データ処理回路のグランドを無線回路のグランドの近傍に配置した場合、データ処理回路のグランドには、無線回路のグランドに流れる高周波電流によって誘起される逆相の高周波電流が流れる。
【００１２】
しかし、無線回路のグランドに流れる電流と同方向の電流を、無線回路のグランドから電流注入回路を通してデータ処理回路のグランドに注入しているため、この注入電流によってデータ処理回路のグランドに流れる逆相の高周波電流が打ち消される。
【００１３】
したがって、データ処理回路のグランド上の任意な位置で高周波電流分布を最小にできるため、その位置に集積回路を搭載すれば、集積回路の搭載位置にて高周波電流を充分に抑制することができる。
【００１４】
また、集積回路の周辺の高周波対策の設計を容易にすることができるとともに、高周波対策の部品を削減することもできる。また、無線回路のグランドが、データ処理回路のデジタルノイズの影響を受けにくくなるため、無線回路の障害も抑制することができる。また、アンテナの放射パターンは、無線回路のグランドの電流によって支配されるため、アンテナについての独自の設計を容易に行うこともできる。
【００１５】
なお、前記電流注入回路は、前記無線回路のグランドと前記データ処理回路のグランドとを接続する前記プリント基板のパターンであっても良い。
【００１６】
また、前記プリント基板は２枚設けられており、当該２枚のプリント基板がケーブルで接続されており、
前記電流注入回路は、前記無線回路のグランドと前記データ処理回路のグランドとを接続する前記プリント基板のパターンであり、かつ前記２枚のプリント基板の各々の１箇所ずつに設けられていても良い。
【００１７】
この構成によれば、電子機器にて使用される周波数が変更されたことに伴い、高周波電流の分布が変わった場合でも、電流注入回路のインピーダンスをプリント基板のパターン幅と長さによって制御することができる。
【００１８】
また、前記電流注入回路は、各々が前記無線回路のグランドと前記データ処理回路のグランドとを接続する２つ以上のキャパシタであっても良い。
【００１９】
この構成によれば、電子機器にて使用される周波数が変更されたことに伴い、高周波電流の分布が変わった場合でも、電流注入回路のインピーダンスをキャパシタ間の距離やキャパシタの容量値によって制御することができる。
【００２０】
また、前記データ処理回路のグランド上に設けられ、前記データ処理回路のグランドに流れる電流をモニタするための電流モニタ回路をさらに有し、
前記電流注入回路は、前記電流モニタ回路にてモニタされた電流の電流値に基づいて前記無線回路のグランドから前記データ処理回路のグランドに注入する電流注入量を制御するものであっても良い。
【００２１】
この構成によれば、環境の変化でデータ処理回路のグランドにおける電流分布が大きく変わった場合でも、これに追従して自動的に電流注入量を制御することができる。
【００２２】
また、前記電流注入回路は、
前記無線回路のグランドと前記データ処理回路のグランドとを接続する可変抵抗器と、
前記電流モニタ回路にてモニタされた電流の電流値が最小値となるように前記電流注入量を決定し、決定された電流注入量となるように前記可変抵抗器の抵抗値を制御する制御回路とを有することとしても良い。
【００２３】
この構成によれば、可変抵抗器の抵抗値によって電流注入量を制御することにより、データ処理回路のグランドに流れる電流の電流値が最小値となるように制御することができる。
【発明の効果】
【００２４】
以上説明したように本発明の電子機器は、無線回路のグランドに流れる電流と同方向の電流を、無線回路のグランドからデータ処理回路のグランドに注入するための電流注入回路を設けた構成としている。
【００２５】
ここで、データ処理回路のグランドを無線回路のグランドの近傍に配置した場合、データ処理回路のグランドには、無線回路のグランドに流れる高周波電流によって誘起される逆相の高周波電流が流れる。
【００２６】
しかし、本発明では、無線回路のグランドに流れる電流と同方向の電流を、無線回路のグランドから電流注入回路を通してデータ処理回路のグランドに注入しているため、この注入電流によってデータ処理回路のグランドに流れる逆相の高周波電流が打ち消される。
【００２７】
したがって、データ処理回路のグランド上の任意な位置で高周波電流分布を最小にできるため、その位置に集積回路を搭載すれば、集積回路の搭載位置にて高周波電流を充分に抑制することができるという効果が得られる。
【発明を実施するための最良の形態】
【００２８】
以下に、本発明を実施するための最良の形態について図面を参照して説明する。
【００２９】
図１は、本発明の電子機器の一構成例を示す図である。
【００３０】
図１を参照すると、本実施形態の電子機器は、同一のプリント基板上に、アンテナにて送受信される無線信号を処理する無線回路と各種のデジタル信号（例えば、携帯電話の場合は、デジタル音声信号、デジタル画像信号など）を処理するデータ処理回路とが設けられている。また、データ処理回路のグランド２上には集積回路であるＬＳＩ３が搭載されており、無線回路のグランド１とデータ処理回路のグランド２とは分離されている。また、プリント基板は、多層基板であるが、図１では、グランド層のみが図示され、他の層は省略されている。また、図１では、スリットやビアホールなどの細かい穴や、信号パターンや電源パターンなども省略されている。また、図１では、高周波の発振回路を、無線回路のグランド１の中央付近の上部に半ループ状に発信源を置くことで表している。
【００３１】
さらに、本実施形態の電子機器は、無線回路のグランド１とデータ処理回路のグランド２とを接続し、無線回路のグランド１に流れる電流と同相（同方向）の電流を無線回路のグランド１からデータ処理回路のグランド２へ注入するための電流注入回路４が設けられている。詳細は後述するが、電流注入回路４は、プリント基板のパターン、キャパシタ、可変抵抗器などを用いて構成することができる。
【００３２】
上述の発振回路が動作すると、無線回路のグランド１の電流分布は、中央付近が最大となるような分布を示す。一方、データ処理回路のグランド２には、対向する無線回路のグランド１とは逆相（逆方向）の電流が流れようとする。
【００３３】
しかし、本実施形態では、無線回路のグランド１から電流注入回路４を通して同相の電流がデータ処理回路のグランド２に注入されるため、この注入された電流によってデータ処理回路のグランド２に流れる逆相の電流が打ち消されることになる。
【００３４】
従って、データ処理回路のグランド２に流れる逆相の電流が大きく低減するため、ＬＳＩ３の搭載位置での高周波電流も大きく低減する。
【００３５】
なお、図１では、電流注入回路４を左右の両端付近の２箇所に設けているが、無線回路のグランド１およびデータ処理回路のグランド２の形状や、ＬＳＩ３の搭載位置によっては、いずれか１箇所だけに設けることもできる。
【００３６】
また、図１では、電源の電源パターンを面状に広げる場合、無線回路の電源面とデータ処理回路の電源面とによって、無線回路のグランド１とデータ処理回路のグランド２との間の空隙が塞がれないように構成する。例えば、どちらかの電源面が上述の空隙を跨ぐような構成とすると、跨いだ部分で電磁波の漏洩が生じるため、ＬＳＩ３の搭載位置で高周波電流が低減されるという本発明の効果を損ねてしまう。
【００３７】
図２は、図１に示した電子機器の一応用例を示す図である。ここでは、図１に示した電子機器を携帯電話等の小型の電子機器に応用している。
【００３８】
図２を参照すると、本例の電子機器では、中央のデータ処理回路のグランド２とその上下の無線回路のグランド１とが、それぞれ左右の両端付近において電流注入回路４によって接続されている。
【００３９】
本例の電子機器では、上下の無線回路のグランド１に流れる電流の一部が分流して、電流注入回路４を通して中央のデータ処理回路のグランド２に流れる。そのため、上下の無線回路のグランド１から注入される同相電流によって、データ処理回路のグランド２の上下の２つの辺に流れる逆相電流が打ち消される。
【００４０】
また、上下の無線回路のグランド１に同相の電流が流れることにより、中央のデータ処理回路のグランド２には、上下の無線回路のグランド１により作られる磁界が打ち消し合い、高周波電流が極小となる領域が生じる。
【００４１】
なお、実際には、上下の無線回路のグランド１に無線回路から給電するためのパターンが付加される。そのため、図３に示すように、無線回路のグランド１をコの字状とし、データ処理回路のグランド２の短辺の一方にも無線回路のグランド１を設けた形で給電がなされる場合が多い。
【００４２】
図４は、図１に示した電子機器のさらに他の応用例を示す図である。ここでは、図１に示した電子機器を携帯電話等の小型の電子機器に応用している。
【００４３】
図４を参照すると、本例の無線機器では、中央のデータ処理回路のグランド２とその周りを周回する四角状の無線回路のグランド１とが、データ処理回路のグランド２の両短辺において電流注入回路４によって接続されている。
【００４４】
以上のように、無線回路のグランド１とデータ処理回路のグランド２との様々な組み合わせが存在する。ただし、いずれの構成も、データ処理回路のグランド２における無線回路のグランド１と対向する部分の電流を、無線回路のグランド１に流れる電流によって打ち消すことにより、ＬＳＩ３の設置位置での高周波電流を抑制する構成になっている。
【００４５】
図５は、図１に示した電子機器のさらに他の応用例を示す図である。ここでは、図１に示した電子機器を折り畳み式携帯電話に応用している。
【００４６】
図５を参照すると、本例の電子機器では、上下の筐体の各々に配置された２枚のプリント基板が設けられており、この２枚のプリント基板がフレキシブルテーブル等で接続されている。また、２枚のプリント基板にわたって無線回路のグランド１とデータ処理回路のグランド２が設けられている。携帯電話としてのアンテナ指向性は、主に無線回路のグランド１に流れる電流によって決定される。デジタル信号処理用のＬＳＩ３は、２枚のプリント基板の各々のデータ処理回路のグランド２上に設けられている。
【００４７】
また、無線回路のグランド１上には高周波電流が分布し、対向するデータ処理回路のグランド２には逆相電流が流れている。そのため、２枚のプリント基板の各々の１箇所、すなわち図５では２枚のプリント基板の左右両端の短辺の最遠点となる計２箇所において、無線回路のグランド１とデータ処理回路のグランド２とを接続する電流注入回路４を設けている。
【００４８】
なお、図５では、無線回路のグランド１とデータ処理回路のグランド２とを同じフレキシブルケーブル上に配した例を示したが、無線回路のグランド１とデータ処理回路のグランド２とをそれぞれ別のケーブルで接続した場合も、基本的に同様の効果が得られる。
【００４９】
図６は、本発明の電子機器の他の構成例を示す図である。
【００５０】
図６を参照すると、本実施形態の電子機器は、電流注入回路４に加えて、データ処理回路のグランド２上のＬＳＩ３付近に、データ処理回路のグランド２に流れる電流をモニタするための電流モニタ回路５を設けている。
【００５１】
なお、図６では、ＬＳＩ３に流れ込む高周波電流とＬＳＩ３から流れ出る高周波電流とをモニタするために、ＬＳＩ３の高周波電流の上流側および下流側の２箇所に電流モニタ回路５を設けているが、いずれか１箇所だけに設けることもできる。ただし、ＬＳＩ３が数百ピン以上の大規模の集積回路である場合、図６に示すように２箇所に電流モニタ回路５を設置することにより、平均的な電流分布をモニタすることができる。
【００５２】
電流モニタ回路５は、ループ型磁界センサ、ホール素子、ＭＲ素子などの磁界センサで構成することが可能である。また、ループ型磁界センサをプリント基板のパターンで構成し、プリント基板に埋め込むことも可能である。また、電流の方向は２次元的に広がっているので、Ｘ，Ｙの２方向の電流をモニタして最適値を求めることが可能である。
【００５３】
図７は、図６に示した電流注入回路４と電流モニタ回路５の構成を説明する図である。
【００５４】
図７を参照すると、電流モニタ回路５は、データ処理回路のグランド２に流れる高周波電流を検出する磁界センサ５１と、磁界センサ５１にて検出された高周波電流を増幅するプリアンプ５２と、プリアンプ５２にて増幅された高周波電流を整流する高周波整流回路５３と、高周波整流回路５３にて整流された高周波電流を波形整形等してモニタ電流として電流注入回路４に出力するバッファ５４とを有している。
【００５５】
また、電流注入回路４は、無線回路のグランド１とデータ処理回路のグランド２とをＤＣ的に接続するためのフェライトビーズ４１と、無線回路のグランド１とデータ処理回路のグランド２とを接続する可変抵抗器４２と、可変抵抗器４２の抵抗値を可変するドライバ４３と、電流モニタ回路５から出力されたモニタ電流の電流値を示す電流モニタ値を導出し、導出した電流モニタ値を基に電流注入量を決定し、決定した電流注入量となるような可変抵抗器４２の抵抗値をドライバ４３に設定する制御回路４４とを有している。なお、フェライトビーズ４１の代わりに、ＤＣレベルで低抵抗値を示し、高周波で抵抗値が増加する他の素子を用いることができる。
【００５６】
図８は、図６に示した電子機器において、電流モニタ値が最小値となるような電流注入量が決定されるまでの処理の一例を説明するフローチャートである。
【００５７】
図８を参照すると、電流モニタ回路５は、データ処理回路のグランド２に流れる高周波電流をモニタし、その高周波電流をモニタ電流として電流注入回路４に出力する（ステップ８０１）。次に、電流注入回路４の制御回路４４は、電流モニタ回路５から出力されたモニタ電流を入力し、そのモニタ電流をＡ／Ｄ変換してデジタル値に変換し、そのデジタル値を現在の電流モニタ値Ｉnとする（ステップ８０２）。なお、電流モニタ値の導出は一定時間ごとに行うものとする。
【００５８】
制御回路４４は、電流モニタ値が最小値となるように電流注入量を決定する。そのために、制御回路４４は、図９に示すように、横軸に電流注入量、縦軸に電流モニタ値をとったグラフを作成すべく、電流モニタ値Ｉnを導出するたびに、電流注入量を一定量ΔＩだけ増加させる。電流モニタ値は、図９に示すように変化する。すなわち、電流モニタ値が最小値に達するまでは、Ｉn＜Ｉn-1となるが、電流モニタ値が最小値に達した後は、Ｉn＞Ｉn-1となる。
【００５９】
制御回路４４は、ｎが１であるか、または、Ｉn＜Ｉn-1であれば（ステップ８０３）、電流モニタ値がまだ最小値には達していないと判断し、電流注入量Ｉが次回のｎ＋１の時の電流注入量Ｉ＋ΔＩとなるような可変抵抗器４２の抵抗値をドライバ４３に設定する（ステップ８０４）。これを受けて、ドライバ４３は、制御回路４４の設定にしたがって、可変抵抗器４２の抵抗値を変更する（ステップ８０５）。
【００６０】
これにより、無線回路のグランド１からデータ処理回路のグランド２へ注入される電流注入量が変化するため、データ処理回路のグランド２に流れる高周波電流も変化する。それに伴い、ステップ８０１で電流モニタ回路５にてモニタされるモニタ電流、ステップ８０２で制御回路４４にて導出される電流モニタ値が変化する。
【００６１】
上記の処理を繰り返すことにより、ステップ８０３でＩn＞Ｉn-1になると、制御回路４４は、電流モニタ値が最小値に達したと判断し、電流注入量Ｉが前回のｎ−１の時の電流注入量Ｉ−ΔＩとなるような可変抵抗器４２の抵抗値をドライバ４３に設定する（ステップ８０６）。これを受けて、ドライバ４３は、制御回路４４の設定にしたがって、可変抵抗器４２の抵抗値を変更する（ステップ８０７）。
【００６２】
以上の処理により、電流モニタ値が最小値に設定され、処理が終了する。なお、図９においては、ｎ＝６の時点で、Ｉn＞Ｉn-1になったために、次回のｎ＝７の時の電流注入量を前回のｎ＝５の時の電流注入量と同じとしている。
【００６３】
なお、電流モニタ値を最小値とする電流注入量の決定方法は、図８の例に限られるものではなく、ニュートン法などの他の方法を用いても良いことは言うまでもない。また、ΔＩの刻み量が大きければ、真の最小値との差が大きくなる。一方、ΔＩの刻み量が小さければ、真の最小値との差は小さくなるものの、最小値となる電流注入量が決定されるまでの繰り返し回数が増えるために処理時間が増大する。
【実施例】
【００６４】
以下、本発明の電子機器について実施例を挙げて詳しく説明する。
【００６５】
（実施例１）
図１０は、本発明の実施例１の電子機器の構成を示す図である。
【００６６】
図１０を参照すると、本実施例の電子機器は、図１に示した電子機器の最も簡単な例となる。すなわち、電流注入回路４を、無線回路のグランド１とデータ処理回路のグランド２とを接続するプリント基板のパターンで構成している。この構成の場合、電流注入回路４のインピーダンスを、パターンの幅と長さによって制御する。これにより電流注入量をコントロールして、高周波電流に敏感なＬＳＩ３付近での電流分布を抑制する。
【００６７】
（実施例２）
図１１は、本発明の実施例２の電子機器の構成を示す図である。本実施例は、図１に示した電子機器を折り畳み式携帯電話に応用した実施例である。
【００６８】
図１１を参照すると、本実施例の電子機器は、左側の下部筐体には８ｃｍ×４ｃｍのプリント基板が設けられ、右側の上部筐体には９ｃｍ×４ｃｍのプリント基板が設けられており、これら２枚のプリント基板がフレキシブルケーブルによって接続されている。また、２つのプリント基板にわたって、周回部には幅５ｍｍの無線回路のグランド１が配され、その内側にデータ処理回路のグランド２が配されている。アンテナは、右側のプリント基板のフレキシブルケーブルとは反対側（右端）において無線回路のグランド１と接続され、アンテナの根元から給電されている。また、右側のプリント基板においては、空隙すなわち２つのグランドの間隔は３ｍｍであり、左側のプリント基板においては、空隙は１ｍｍである。また、左側のプリント基板には、左上の空隙に１ｍｍ幅のパターンの電流注入回路４が１箇所設けられ、右側のプリント基板には、右上の空隙に１ｍｍ幅のパターンの電流注入回路４が１箇所設けられている。
【００６９】
図１２は、図１１に示した電子機器をモデルとするＦＤＴＤ（Finite Difference Time Domain）のシミュレーション結果を示す図である。ここでは、１ＧＨｚの周波数で、相対値でＸ方向の電流を比較する。なお、図１２（ａ）は、図１１の２箇所の電流注入回路４をいずれも設けず、無線回路とデータ処理回路との接点が全くないモデルのシミュレーション結果、図１２（ｂ）は、図１１の２箇所の電流注入回路４のうち左側のプリント基板の電流注入回路４だけを設けたモデルのシミュレーション結果、図１２（ｃ）は、図１１のモデルのシミュレーション結果を示している。
【００７０】
図１２を参照すると、（ａ）においては、フレキシブルケーブル付近の黒枠で示したＬＳＩ３の設置位置では強い電流分布が観測された。（ｂ）においては、ＬＳＩ３の設置位置での電流分布はかえって悪化している。（ｃ）においては、フレキシブルケーブル付近で高周波電流が充分に低く抑えられていることが分かる。
【００７１】
このように、無線回路のグランド１をデータ処理回路のグランド２に接続した場合、データ処理回路のグランド２において高周波電流が増大するという逆効果をもたらすことが推察されるが、電流注入量を適切にコントロールすることで、高周波に敏感なＬＳＩ３の設置位置で高周波電流を低く抑えることができる。
【００７２】
（実施例３）
図１３は、本発明の実施例３の電子機器の構成を示す図である。
【００７３】
図１３を参照すると、本実施例の電子機器は、図１に示した電子機器の電流注入回路４を、各々が無線回路のグランド１とデータ処理回路のグランド２とを接続する２つのキャパシタで構成している。本実施例では、電流注入回路４をキャパシタ４と称する。
【００７４】
２つのキャパシタ４間の距離は、無線回路のグランド１とデータ処理回路のグランド２との間の距離に応じて設定し、また、キャパシタ４の容量をコントロールして高周波電流がＬＳＩ３に干渉することを抑制しようとする周波数において２つのキャパシタ４に流れる電流の位相が互いに１８０°異なるように設定する。
【００７５】
この条件でキャパシタ４を構成した場合において、無線回路のグランド１とデータ処理回路のグランド２とで構成された構造をスロットラインとみなすと、このスロットラインには半波長共振に相当するモードの共振が発生し、データ処理回路のグランド２に流れる電流を最大限に打ち消すことができる電流が流れる。
【００７６】
図１４は、２つのキャパシタ間の距離に応じた振幅と位相を示す図である。
【００７７】
図１４を参照すると、キャパシタ４は位相を進める特性がある。そのため、実質的には、２つのキャパシタ４間の距離は、所望の周波数における半波長よりも短くてよい。
【００７８】
本実施例では、キャパシタ４の容量値を適切に選択することにより、任意の位置にキャパシタ４を搭載することが可能となり、設計の自由度が増加する。
【図面の簡単な説明】
【００７９】
【図１】本発明の電子機器の一構成例を示す図である。
【図２】図１に示した電子機器の一応用例を示す図である。
【図３】図１に示した電子機器の他の応用例を示す図である。
【図４】図１に示した電子機器のさらに他の応用例を示す図である。
【図５】図１に示した電子機器のさらに他の応用例を示す図である。
【図６】本発明の電子機器の他の構成例を示す図である。
【図７】図６に示した電流注入回路と電流モニタ回路の構成を説明する図である。
【図８】図６に示した電子機器において、電流モニタ値が最小値となるような電流注入量を決定すまでの処理の一例を説明するフローチャートである。
【図９】図６に示した電子機器における電流注入量と電流モニタ量との関係を示すグラフである。
【図１０】本発明の実施例１の電子機器の構成を示す図である。
【図１１】本発明の実施例２の電子機器の構成を示す図である。
【図１２】図１１に示した電子機器をモデルとしたＦＤＴＤのシミュレーション結果を示す図である。
【図１３】本発明の実施例３の電子機器の構成を示す図である。
【図１４】図１３に示した電子機器において、キャパシタ間の距離に応じた振幅と位相を示す図であり、（ａ）はキャパシタ間の距離を拡げた場合の振幅と位相を示す図、（ａ）はキャパシタ間の距離を狭めた場合の振幅と位相を示す図である。
【図１５】従来の電子機器の一構成例を示す図であり、（ａ）は斜視図、（ｂ）は断面図である。
【図１６】従来の電子機器の他の構成例を示す図である。
【符号の説明】
【００８０】
１    無線回路のグランド
２    データ処理回路のグランド
３    ＬＳＩ
４    電流注入回路
５    電流モニタ回路
【図１】
0004632052.tif 000002
【図２】
0004632052.tif 000003
【図３】
0004632052.tif 000004
【図４】
0004632052.tif 000005
【図５】
0004632052.tif 000006
【図６】
0004632052.tif 000007
【図７】
0004632052.tif 000008
【図８】
0004632052.tif 000009
【図９】
0004632052.tif 000010
【図１０】
0004632052.tif 000011
【図１１】
0004632052.tif 000012
【図１３】
0004632052.tif 000013
【図１４】
0004632052.tif 000014
【図１５】
0004632052.tif 000015
【図１６】
0004632052.tif 000016
【図１２】
0004632052.tif 000017